(57)【要約】【課題】  木製サッシにおいて、支持枠部分からの熱伝導を抑え、支持枠部分において発生する結露を防止することができるサッシ構造を提供する。  【解決手段】  木製の支持枠１０と、支持枠１０に移動自在に支持された移動枠２０と、移動枠２０を支持枠１０に沿って移動ガイドするレール部５０とを備えたサッシ構造において、支持枠１０の上横支持枠１２の下面には、移動枠２０の移動方向に沿って連続して取付溝１２ａが形成され、レール部５０は、取付溝１２ａに独立して取り付けられていることを特徴とするサッシ構造である。【選択図】        図２
2005083177.tif 000002
【特許請求の範囲】
【請求項１】
木製の支持枠と、
該支持枠に移動自在に支持された移動枠と、
該移動枠を前記支持枠に沿って移動ガイドするレール部とを備えたサッシ構造において、
前記支持枠の上横支持枠の下面には、前記移動枠の移動方向に沿って連続して取付溝が形成され、
前記レール部は、前記取付溝に独立して取り付けられていることを特徴とするサッシ構造。
【請求項２】
前記レール部は前記取付溝に埋設される支持部と、当該支持部に取り付けられるレール体とにより構成されていることを特徴とする請求項１記載のサッシ構造。
【請求項３】
前記レール体と前記支持部とが一体に形成されていることを特徴とする請求項２記載のサッシ構造。
【請求項４】
前記レール体は、前記支持部に対して揺動可能に取り付けられていることを特徴とする請求項２または３に記載のサッシ構造。
【請求項５】
前記レール体は樹脂により形成されていることを特徴とする請求項１〜４のうちのいずれか一項記載のサッシ構造。
【発明の詳細な説明】
【技術分野】
【０００１】
本発明は、サッシ構造に関し、より詳細には、木製サッシにおける断熱構造を特徴とするサッシ構造に関する。
【背景技術】
【０００２】
サッシ構造は以前から多数提案されており、近年においては、支持枠と移動枠の枠材に木材を用いた木製サッシも提案されている。木製サッシは、美観に優れ、サッシ枠の熱伝導率が低いことから、従来のアルミサッシ構造に比べて外観面および断熱性能の面において有用なサッシ構造であるといえる。
最近においては、特許文献１に開示されているような、木製サッシの移動枠に金属のカバーを取り付けた複合型のサッシ構造も本願発明者により提案されている。
【０００３】
【特許文献１】２００３−１４８０５８号公報
【０００４】
特許文献１にかかる複合サッシ構造においては、移動枠（障子枠）に木を使用し、移動枠の外側表面を２枚の金属板を組み合わせた保護部材によって覆った構造とされており、これにより、室内側における美観特性や、断熱性を木製サッシと同様とし、移動枠の外面側における経年劣化を抑えることを特徴としている。すなわち、耐候性に優れた木製ベースの複合サッシ構造にすることができる。
また、２枚の金属板を組み合わせて移動枠の外表面を覆う構成としたことにより、移動枠の枠材の幅に応じて幅寸法の異なる金属板を適宜組み合わせることによって、さまざまな幅の枠材に容易に対応することができ、製造コストの削減にも貢献する。
【発明の開示】
【発明が解決しようとする課題】
【０００５】
しかしながら、特許文献１の複合サッシ構造における支持枠１０（窓枠）については、図４に示すように、金属製のレール部５０が室外側から室内側まで連続して支持枠１０の上横支持枠１２の内面に取り付けられているため、レール部５０の熱伝導による熱損失が大きいことが実験結果により明らかになった。
詳細には、木製サッシは、支持枠や移動枠を木製とすることにより、サッシ構造部分の断熱性を高めたものであり、移動枠部分では、外面が金属板で覆われていたとしても室内外方向には木製枠材によって熱を遮断して移動枠部分における熱伝導を低くすることができるので、移動枠部分における熱伝導により生じる結露をほぼ無くすことができても、レール部５０においては上横支持枠１２に嵌着されたレール部５０が室内外方向に連続しているため、レール部５０を介して連続的に熱伝導が生じるためである。
この熱伝導により結露が生じることになり、サッシ構造における断熱性能に関しては改善の余地が残されている。
【０００６】
本発明は、窓枠のレール部からの熱伝導を最小限に抑えることにより、断熱性を向上させたサッシ構造を提供することを目的とする。
【課題を解決するための手段】
【０００７】
以上の目的を達成するべく、本発明は以下の構成を備える。
すなわち、木製の支持枠と、該支持枠に移動自在に支持された移動枠と、該移動枠を前記支持枠に沿って移動ガイドするレール部とを備えたサッシ構造において、前記支持枠の上横支持枠の下面には、前記移動枠の移動方向に沿って連続して取付溝が形成され、前記レール部は、前記取付溝に独立して取り付けられていることを特徴とするサッシ構造である。
【０００８】
また、前記レール部は前記取付溝に埋設される支持部と、当該支持部に取り付けられるレール体とにより構成されていることを特徴とする。これにより、取り付け精度を確保するためや、防火構造とするために支持部に金属材料を用いても、熱伝導性の高い金属部分は木材に埋設されるため、上側のレール部による熱伝導を遮断することができる。
さらに、前記レール体と前記支持部とが一体に形成されていることを特徴とする。これにより、支持枠へのレール部の取り付け作業が容易になる。
【０００９】
また、前記レール体は、前記支持部に対して揺動可能に取り付けられていることを特徴とする。これにより、移動枠と支持枠との相対位置にずれが生じた場合であっても、移動枠の移動のガイドであるレール体が適宜傾斜することにより円滑に移動枠を動かすことができる。
さらにまた、前記レール体は樹脂により形成されていることを特徴とする。これにより、室外側と室内側の境界部分に相当する部分の断熱性能を高め、結露の発生を抑えることができる。
【発明の効果】
【００１０】
本発明に係るサッシ構造を採用することにより、支持枠部分に断熱性の高い木材を用いていることに加え、それぞれの移動枠に対して独立してレール部を形成しているので、レール部どうしが離間し、レール部が室外から室内へ連続する構造ではなくなるため、熱伝導を最小限に抑え、断熱性能を高めたサッシ構造を提供することができる。すなわち、結露がしにくいサッシ構造とすることができる。
また、それぞれの移動枠に対して個別にレール部を形成しているので、レール部自体に用いる材料を削減することができるので、レール部の製造コストを低減させることができる。
【発明を実施するための最良の形態】
【００１１】
以下、本発明の好適な実施の形態について添付図面を参照しながら詳細に説明する。図１は本実施の形態におけるサッシを取り付けた窓の室内側からの正面図である。図２は、図１中のＡ−Ａ線における断面図である。図３は、支持枠にレール部を取り付ける際における組立図である。なお、図２に示されている断面図は、断面を示すハッチングを省略している。
建物の壁面等に固定して設置される支持枠１０は、上横支持枠１２、下横支持枠１４、左縦支持枠１６、右縦支持枠１８によって、矩形に形成されている。支持枠１０には、支持枠内を左右方向に往復自在な移動枠２０として、外障子３０、内障子４０が引き違いに配設されている。本実施の形態においては、外障子３０および内障子４０は、それぞれ上横枠３２、４２、下横枠３４、４４、右縦枠３６、４６、左縦枠３８、４８を長方形に組み立てることにより形成されている。
移動枠２０は、支持枠１０の上横支持枠１２に取り付けられたレール部５０にガイドされながら支持枠１０内を図１の左右方向に移動する。
【００１２】
本実施の形態においては、長方形の支持枠１０に長方形の移動枠２０を配設した引き違い方式としているが、支持枠１０と移動枠２０の形状はそれぞれ長方形に限定されるものではなく他の形状であっても良い。また、移動枠２０の移動方式は引き違い方式に限定されず、片開き方式等他の移動方式であってもよいのはもちろんである。
【００１３】
移動枠２０の一部である外障子３０の組み立て方法について説明する。なお、内障子４０の組み立て方法については、外障子３０の組み立て方法を適用すればよいのでここではその説明を省略する。
【００１４】
外障子３０は上横枠３２と下横枠３４の両端が右縦枠３６と左縦枠３８と当接する部分において互いに凹凸嵌合により連結し、長方形に形成される。外障子３０の各枠体を完全に長方形に組み立てする前に、ガラス６０を各枠体の内側部分に取り付ける。本実施の形態では図２に示すように、ペアガラス６０ａ、６０ｂを使用している。ペアガラス６０ａ、６０ｂは室外側及び室内側の表面の端辺にシール部材６２ａ、６２ｂを介在させ、外障子３０の枠の内側面に当接する部分にスペーサ６４を介在させた上で枠体に嵌め込まれる。なお、シール部材６２ａ、６２ｂは衝撃に対するガラスの緩衝材としての機能も有している。
【００１５】
外障子３０の上横枠３２の上端面には、図２に示すように外障子３０が支持枠１０内を移動する方向と同方向に延びる凹溝３２ａが形成されている。凹溝３２ａには、凹溝３２ａに対向する支持枠１０の上横支持枠１２に配設されたレール部５０を収めると共に、レール部５０と外障子３０との気密をとるためのシール部材７０を保持するための保持具７２が嵌め込まれている。保持具７２は凹溝３２ａと略同じ長さに形成されていて、凹溝３２ａに嵌め込むだけで固定可能であるが、図示するようにビス止めにより固定してもよい。
【００１６】
保持具７２の起立部７２ａには、シール部材７０を保持するための保持溝７１が保持具７２の延長方向と同方向に形成されていて、シール部材７０は、その一部を保持溝７１に挿通させることにより保持される。図面においては、室外側のみにシール部材７０を配設しているが室内側の保持溝７１にも配設してもかまわないのはもちろんである。
【００１７】
外障子３０を構成する各種の枠材３２、３４、３６、３８の室外側表面には、保護板７４が取り付けられている。保護板７４は、各種の枠材３２、３４、３６、３８の内周側部分にネジ止めにより固定されたガラス押さえ部材７４ａと、各種の枠材３２、３４、３６、３８の外周側部分に所要間隔をあけてネジ止めにより固定された取り付け具７４ｂと、ガラス押さえ部材７４ａと取り付け具７４ｂに係合部７４ｃを介して係合させる保護板本体７４ｄとにより構成される。保護板７４により、室外側の枠材の経年劣化を抑えることができるが、必ず配設するという訳ではない。
【００１８】
次に支持枠１０に形成されるレール部５０について説明する。
図２に示すように、支持枠１０における上横支持枠１２の下面には、外障子３０および内障子４０に形成された凹溝３２ａ、４２ａに対向する部分に、移動枠２０を支持枠１０内を移動させる際のガイドとなるレール部５０、５０がそれぞれの凹溝に対応して互いに独立して配設されている。各レール部５０は、上横支持枠１２において、段差を有する凹状断面を有し、移動枠２０が移動する方向に形成された取付溝１２ａ、１２ａに埋設させる支持部５１と、支持部５１に取り付けられるレール体５２とにより構成されている。
【００１９】
支持部５１は、取付溝１２ａと同様に段差を有する凹状断面を有する長尺体に形成されている。支持部５１の上端には、取付溝１２ａと支持部５１との間に隙間Ｓが形成されるような突出部５１ａを有し、側壁部５１ｂの外面は、取付溝１２ａの側壁部との摩擦が増加するように鋸刃状に形成されている。支持部５１は取付溝１２ａに埋設させるだけで取り付けすることもできるが、図に示すようにネジ止めにより上横支持枠１２に固定すればより確実な取り付けとなる。支持部５１を上横支持枠１２にネジ止めにより取り付けする場合に上横支持枠１２から生じる木屑は、取付溝１２ａと支持部５１との間の隙間Ｓに入り込み、木屑による支持部５１の浮き上がりを防止する。支持部５１の下方部には、レール体５２を係止する係止部５１ｃが形成されている。
【００２０】
レール体５２の上端部５２ａは、レール対５２の長手方向に直交する断面の形状が円弧状になるように形成されていて、支持部５１の固定に用いたネジ頭を回避する。また、レール体５２の上端部５２ａと支持部５１との間に空間が形成され、この空間がエアルームとして機能し、室内外の圧力差が吸収されるので、圧力差による水の侵入が防止される。
側面部には支持部５１の係止部５１ｃが係合する係合溝５２ｂが形成されている。係合溝５２ｂの下方にはレール５２ｃがレール５２ｃの先端部分が凹溝３２ａの開口部分に進入するまで延伸している。レール５２ｃの先端部側面には保持具７２に取り付けられたシール部材７０が当接し、サッシ構造の気密が保たれる。
【００２１】
レール体５２は、支持部５１に対して若干遊びがある程度に係止部５１ｃに係合溝５２ｂを係合させている。このように支持部５１に対してレール体５２が遊嵌しているので、レール体５２が支持部５１に対する当初取付位置から回動可能である。したがって、支持枠１０や移動枠２０の組み立て誤差や支持枠１０や移動枠２０に変形等が生じたとしても、レール体５２が移動枠２０の凹溝３２ａの動きに追従し、移動枠２０の円滑な移動が維持される。なお、支持部５１を硬質ゴム等の弾性体により形成すれば、レール体５２を支持部５１に遊びがないように嵌合させたり、支持部５１とレール体５２を一体に形成した場合であっても、先述のレール体５２の追従性は確保される。
【００２２】
なお、８０は網戸用レール体であり、アルミ材等により成形されていて、上横支持枠１２の室外側端面に取り付けられる。網戸用レール体８０は断熱性能が要求されないので、従来の形態のままであってもかまわない。
移動枠２０の下側レール８５もまた従来構造と同様にアルミ材等により成形されたものである。下側レール８５と床面との接続部分８７には、断熱用の樹脂材９０が配設されている。室外から室内にかけての熱伝導は樹脂材９０の位置で遮断され、床面近傍における結露の発生は防止される。また、下側レール８５は、室内側から室外側に向かって傾斜して形成されているので、たとえ樹脂材９０の近傍で結露を生じたとしても、結露水は室外側へと流出するため特に問題はない。
【００２３】
以上のように、単一形状のレール部５０を外障子３０または内障子４０ごとに形成し、互いに離間するように配設していることにより、上横支持枠１２に形成されたレール部５０による熱伝導が移動枠２０（外障子３０および内障子４０）の位置で遮断されるので、結露を生じるおそれがある箇所を大幅に削減することができる。さらに、レール体５２にプラスチックやゴム等の樹脂を用いれば、レール体５２の室内側と室外側においても結露の発生を抑えることができる。
また、移動枠２０の数に応じたレール部５０を備えた上レール部を複数種類製造する必要がないため、製造にかかる金型を一つにすることができ、製造コストを大幅に削減することができる。
【００２４】
以上の実施の形態においては移動枠２０にペアガラス６０ａ、６０ｂを用いている。ペアガラス６０ａ、６０ｂ間には断熱層である空気層または真空層が存在し、外部からの熱伝導を抑えることができるため、レール部５０の断熱効果と組み合わせることにより、断熱効果に優れた木製サッシとすることができる。また、ペアガラス６０ａ、６０ｂのいずれか一方又は両方の内面に熱反射素材によるコーティングすることも可能であり、これによりさらに断熱効果を高めることができ好適である。
以上の実施の形態においては、移動枠２０に嵌め込むガラス６０を単純なペアガラス６０ａ、６０ｂとしているが、これに限定されず、一枚のガラスを取り付けたものとしてもかまわない。
【００２５】
また、網戸のレール部８０は従来構造のものを用いているが、網戸においても本発明にかかるレール部５０を採用することができるのはいうまでもない。これにより、上横支持枠１２に室外側から室内側に連続するアルミ部材からなるレール部を取り付けなくて済むため、支持枠１０の構造的および意匠上の自由度が増し、従来はできなかった支持枠１０のデザインも可能になるといった効果が得られる。
【図面の簡単な説明】
【００２６】
【図１】本実施の形態におけるサッシを取り付けた窓の室内側からの正面図である。
【図２】図１中のＡ−Ａ線における断面図である。
【図３】支持枠にレール部を取り付ける際における組立図である。
【図４】図１中のＡ−Ａ線における従来構造の断面図である。
【符号の説明】
【００２７】
１０  支持枠
１２  上横支持枠
２０  移動枠
３０  外障子
３２  上横枠
３２ａ  凹溝
５０  レール部
５１  支持部
５１ｂ  側壁部
５１ｃ  係止部
５２  レール体
５２ｂ  係合溝
５２ｃ  レール
Ｓ     隙間 
【図１】
2005083177.tif 000003
【図２】
2005083177.tif 000004
【図３】
2005083177.tif 000005
【図４】
2005083177.tif 000006